(57)【要約】【課題】客がポイントを累積するよう促進することができる販売テータ処理装置およびプログラムを提供する。【解決手段】ポイント受付部３５が受付けた累積ポイント数が発券条件テーブル４１に設定された交換ポイント数に達したと判定部３６が判定した場合に、表示部３７が値引券３を発券するか否かの選択を受付ける受付画面５を店員用ディスプレイ１５または客用ディスプレイ１６に表示して、選択受付部３８は、発券可能なポイント数に達した時点で値引券３を発券するか、発券せずにより還元率の高い条件でポイントを貯めるかの選択を受付けて、発券する旨の選択を受付けた場合には発券部３９が値引券３を発券する。【選択図】図３
2011048578.tif 000002
【特許請求の範囲】
【請求項１】
客が携帯する記憶媒体から、客の購入実績に係る情報を受付ける受付手段と、
値引券の発券に必要な前記購入実績を示す発券条件を、前記購入実績が多いほど、前記購入実績に対する前記値引券１枚あたりの還元額の比率を示した還元率を段階的に増加させて複数設定した発券条件テーブルを参照して、前記受付手段が受付けた前記購入実績が、少なくとも１つの前記発券条件に達したか否か判定する判定手段と、
前記判定手段が前記発券条件に達したと判定した場合には、前記値引券を発券するか否かの選択を受付ける選択受付手段と、
前記選択受付手段が前記値引券を発券する旨の選択を受付けた場合には、前記発券条件テーブルに基づいて、前記発券条件に対応する前記還元額の前記値引券を発券する発券手段と、
を備えたことを特徴とする販売データ処理装置。
【請求項２】
前記判定手段が前記購入実績は前記発券条件に達したと判定した場合には、前記値引券を発券するか否かの選択を受付ける受付画面を表示する表示手段をさらに備え、
前記選択受付手段は、前記受付画面において前記値引券を発券するか否かの選択を受付けることを特徴とする請求項１に記載の販売データ処理装置。
【請求項３】
前記受付手段は、前記購入実績として、購入金額に応じて付与されるポイントを累積した累積ポイント数を受付ける、
ことを特徴とする請求項１または２に記載の販売データ処理装置。
【請求項４】
前記受付手段は、前記購入実績として、客がこれまで店舗において商品を購入した購入金額の累計である累計購入金額を受付ける、
ことを特徴とする請求項１または２に記載の販売データ処理装置。
【請求項５】
前記判定手段は、さらに、前記受付手段が受付けた前記購入実績が、前記発券条件テーブルにおいて設定されている最上位の発券条件に達したか否か判定し、
前記発券手段は、前記判定手段が前記購入実績は前記最上位の発券条件に達したと判定した場合には、前記発券条件テーブルを参照して、前記最上位の発券条件に対応する還元額の前記値引券を発券する、
ことを特徴とする請求項１から４のいずれか１つに記載の販売データ処理装置。
【請求項６】
コンピュータを、
客が携帯する記憶媒体から、客の購入実績に係る情報を受付ける受付手段と、
値引券の発券に必要な前記購入実績を示す発券条件を、前記購入実績が多いほど、前記購入実績に対する前記値引券１枚あたりの還元額の比率を示した還元率を段階的に増加させて複数設定した発券条件テーブルを参照して、前記受付手段が受付けた前記購入実績が、少なくとも１つの前記発券条件に達したか否か判定する判定手段と、
前記判定手段が前記発券条件に達したと判定した場合には、前記値引券を発券するか否かの選択を受付ける選択受付手段と、
前記選択受付手段が前記値引券を発券する旨の選択を受付けた場合には、前記発券条件テーブルに基づいて、前記発券条件に対応する前記還元額の前記値引券を発券する発券手段と、
して機能させるためのプログラム。
【発明の詳細な説明】
【技術分野】
【０００１】
本発明は、販売データ処理装置およびプログラムに関する。
【背景技術】
【０００２】
従来、集客率向上や得意客の増加をねらって、買上げ金額等に応じて顧客にポイントを付与し、貯まったポイントに応じて値引券を発行するシステムが広く利用されている。
【０００３】
例えば、特許文献１においては、客が貯めた累積ポイント数のうち、使用したい還元ポイント数をタッチパネルのテンキーから入力して指定し、指定した還元ポイント数に相当するサービス券（値引券）を発券する技術が開示されている。
【発明の概要】
【発明が解決しようとする課題】
【０００４】
ところで、特許文献１では、値引券による還元率（発券に必要なポイント数と、発券された値引券による値引額の比率）は累積ポイント数に関わらず一律であるため、客は交換可能なポイントに達すると還元額が小額であっても直ぐに値引券に交換しがちとなり、累積ポイント数をより多く貯めようという要求が起きづらい。従って、固定客を増やしづらいという課題があった。
【０００５】
本発明は、上記に鑑みてなされたものであって、客がポイントを累積するよう促進することができる販売データ処理装置およびプログラムを提供することを目的とする。
【課題を解決するための手段】
【０００６】
上述した課題を解決し、目的を達成するために、本発明の販売データ処理装置は、客が携帯する記憶媒体から、客の購入実績に係る情報を受付ける受付手段と、値引券の発券に必要な前記購入実績を示す発券条件を、前記購入実績が多いほど、前記購入実績に対する前記値引券１枚あたりの還元額の比率を示した還元率を段階的に増加させて複数設定した発券条件テーブルを参照して、前記受付手段が受付けた前記購入実績が、少なくとも１つの前記発券条件に達したか否か判定する判定手段と、前記判定手段が前記発券条件に達したと判定した場合には、前記値引券を発券するか否かの選択を受付ける選択受付手段と、前記選択受付手段が前記値引券を発券する旨の選択を受付けた場合には、前記発券条件テーブルに基づいて、前記発券条件に対応する前記還元額の前記値引券を発券する発券手段と、を備えることを特徴とする。
【０００７】
また、本発明のプログラムは、コンピュータを、客が携帯する記憶媒体から、客の購入実績に係る情報を受付ける受付手段と、値引券の発券に必要な前記購入実績を示す発券条件を、前記購入実績が多いほど、前記購入実績に対する前記値引券１枚あたりの還元額の比率を示した還元率を段階的に増加させて複数設定した発券条件テーブルを参照して、前記受付手段が受付けた前記購入実績が、少なくとも１つの前記発券条件に達したか否か判定する判定手段と、前記判定手段が前記発券条件に達したと判定した場合には、前記値引券を発券するか否かの選択を受付ける選択受付手段と、前記選択受付手段が前記値引券を発券する旨の選択を受付けた場合には、前記発券条件テーブルに基づいて、前記発券条件に対応する前記還元額の前記値引券を発券する発券手段と、して機能させることを特徴とする。
【発明の効果】
【０００８】
本発明にかかる販売データ処理装置およびプログラムは、値引券の発券に必要な購入実績を示す発券条件を、購入実績が多いほど購入実績に対する還元率を段階的に増加させて設定した発券条件テーブルを参照して、受付手段が受付けた購入実績が発券条件に達したか否かを判定手段が判定し、発券条件に達したと判定した場合には、選択受付手段が値引券を発券するか否かの選択を受付けるため、購入実績が発券条件に達した時点で、より還元率の高い条件でさらに購入実績を累積するように客を誘導することが可能となり、客がポイントを累積するよう促進することができるという効果を奏する。
【図面の簡単な説明】
【０００９】
【図１】図１は、本実施の形態に係るＰＯＳ端末の構成を示す外観斜視図である。
【図２】図２は、会員カードの磁気情報を示す図である。
【図３】図３は、ＰＯＳ端末の機能的構成を示すブロック図である。
【図４】図４は、発券条件テーブルを説明する図である。
【図５】図５は、発券条件設定画面の一例を示す平面図である。
【図６】図６は、発券条件の設定処理の手順を説明するフローチャートである。
【図７】図７は、受付画面の一例を示す平面図である。
【図８】図８は、値引券の一例を示す平面図である。
【図９】図９は、値引券の発券処理の手順を説明するフローチャートである。
【図１０】図１０は、受付画面の一例を示す平面図である。
【発明を実施するための形態】
【００１０】
以下に添付図面を参照して、本発明にかかる販売データ処理装置およびプログラムの最良な実施の形態を詳細に説明する。本実施の形態においては、スーパーマーケット等の店舗において使用されるＰＯＳ端末に販売データ処理装置を適用する場合について説明する。
【００１１】
図１は、本実施の形態にかかるＰＯＳ端末１の構成を概略的に示した外観斜視図である。ＰＯＳ端末１は、現金等を収容するためのドロワ１２の上に載置されており、このドロワ１２の引出し１２ａの開閉を制御する。ＰＯＳ端末１の正面側には、登録、点検、精算、設定などの各種業務モードを選択するためのモードキー１４が設けられている。また、ＰＯＳ端末１の正面に設けられたキーボード１３には、オペレータ（店員）が、例えば預かり金額などを置数するための置数キーや、１商取引として販売登録が行われた商品の合計出力を指示する小計キーなど、各種操作入力を行うための操作キーが配置されている。また、キーボード１３に近接する位置には、客の会員カード２の磁気情報２０（図２参照）を読み取るカードリーダ１１が設けられている。
【００１２】
ここで、会員カード２の磁気情報２０には、図２に示すように、客を識別する会員番号や、会員がこれまでの買物で貯めた累積ポイント数等が記憶されている。カードリーダ１１は、磁気情報２０から、客の会員番号や、累積ポイント数を読み取る。
【００１３】
また、ＰＯＳ端末１には、商品や値引券３に付与されたバーコードを読取るためのスキャナ１９が接続されている。また、ＰＯＳ端末１には、正面側には店員用ディスプレイ１５が、背面側には客用ディスプレイ１６が取り付けられており、これらは販売登録された商品の品名、価格や、販売登録の終了が宣言された１商取引の合計金額、釣銭額などを表示するもので、液晶カラーディスプレイ等が用いられる。店員用ディスプレイ１５および客用ディスプレイ１６の表面にはタッチパネル２５および２６が設けられており、タッチ入力が可能となっている。また、ＰＯＳ端末１は、レシート、ジャーナルやポイント券を印字するプリンタ１７を内蔵しており、プリンタ１７によって印字されたレシート、ジャーナルや値引券３（図８参照）はＰＯＳ端末１の正面側に形成されたレシート発行口１８から発行される。
【００１４】
図３は、ＰＯＳ端末１の電装系の構成を示すブロック図である。ＰＯＳ端末１は、ＣＰＵ（Central  Processing  Unit）と、記憶手段として機能するＲＯＭ（Read  Only  Memory）およびＲＡＭ（Random  Access  Memory）（いずれも不図示）等から構成されるコンピュータ構成の制御部３１を備えている。ＲＯＭは、ＣＰＵが実行する各種プログラムや各種データを記憶する。ＲＡＭは、ＣＰＵが各種プログラムを実行する際に一時的にデータやプログラムを記憶するものであり、商品の販売記録を示す販売データや、店員用ディスプレイ１５や客用ディスプレイ１６に表示する各種の画面表示データを記憶するものである。
【００１５】
制御部３１は、Ｉ／Ｏ機器制御部３４およびバス３２を介して、キーボード１３、店員用ディスプレイ１５、客用ディスプレイ１６、プリンタ１７、スキャナ１９、カードリーダ１１、ＨＤＤ４０等のＩ／Ｏ機器を制御し、ＰＯＳ端末１のシステム全体を制御するものである。また、制御部３１は、通信Ｉ／Ｆ３３を介してＬＡＮ（Local  Area  Network）で接続されたストアサーバ（不図示）と相互に通信を行うことが可能となっている。本実施の形態のＰＯＳ端末１は、１台のＰＯＳ端末１が単独で商品登録および商品販売登録等を行っても良いし、店舗内に複数のＰＯＳ端末１が設置される場合には、これら複数のＰＯＳ端末１をストアサーバに接続して、商品登録および商品販売登録等の処理を一括して管理するように構成してもよい。
【００１６】
ここで、ＨＤＤ４０は、記憶手段として機能するものであり、ＣＰＵが実行する各種プログラムの他、発券条件テーブル４１（図４参照）を格納している。
【００１７】
発券条件テーブル４１とは、値引券３の発券に必要とされる購入実績としての交換ポイント数と、この交換ポイント数に達した場合に発券できる値引券３の還元額や、交換ポイント数と還元額の比率である還元率を対応付けて、値引券３の発券条件として設定するテーブルである。
【００１８】
次に、発券条件テーブル４１において設定される各項目について説明する。図４に示すように、累積ポイントが発券条件１の５００ポイントとなった場合には、還元額が５００円である値引券３を発券するので、１ポイントあたりの還元額は１円となり、発券条件１の還元率は交換ポイント数の１倍となる。また、累積ポイントが発券条件２の１０００ポイントとなった場合には、還元額が１５００円である値引券３を発券するので、１ポイントあたりの還元額は１．５円となり、発券条件２の還元率は交換ポイント数の１．５倍となる。さらに、累積ポイントが発券条件３の２０００ポイントとなった場合には、還元額が４０００円である値引券３を発券するので、１ポイントあたりの還元額は２円となり、発券条件３の還元率は交換ポイント数の２倍となる。
【００１９】
即ち、発券条件テーブル４１では、発券条件が１から２へ、２から３へと上位となって交換ポイント数が増加するほど、還元率が段階的に増加するよう設定されている。このように設定すると、客にとっては上位の発券条件でポイント交換をする方が好条件となるため、ポイント累積を動機としてこの店舗での商品購入が増加することが見込まれる。
【００２０】
また、図４に示すように、発券条件テーブル４１には、各発券条件に対して自動発券フラグが「０」か「１」の２値で設定され、最上位の発券条件３に対しては自動発券フラグが１と設定され、最上位以外の発券条件１、２に対しては自動発券フラグが０と設定される。そしてＰＯＳ端末１は、後述する値引券３の発券処理（図９参照）において、累積ポイント数が各発券条件に達した場合にこの自動発券フラグを参照することにより、値引券３を自動的に発券するか否かを判定する。即ち、自動発券フラグが「１」の場合には、ＰＯＳ端末１は受付画面５を表示せずに発券条件３に対応する値引券３を自動的に発券する。一方、ＰＯＳ端末１は、自動発券フラグが「０」の場合には、各発券条件に対応する値引券３を発券するか否かの選択を受付ける受付画面５（図７参照）を表示する。
【００２１】
次に、発券条件テーブル４１の設定方法について、図５および図６を用いて説明する。図５は、ＰＯＳ端末１において、店員用ディスプレイ１５に表示される発券条件設定画面４の一例を示した平面図である。発券条件テーブル４１の設定内容は、図５に示す発券条件設定画面４において各項目の値を入力することで設定することができる。
【００２２】
図５に示すように、発券条件設定画面４では、キーボード１３のテンキーまたは店員用ディスプレイ１５に設けられたタッチパネル２５のテンキーからの入力を受付けて、各発券条件１〜３に対する各値引券３の発券に必要な交換ポイント数および各値引券３の還元額や還元率の入力を受け付けられるようになっている。還元額および還元率の入力値は連動しており、還元額に５００と入力された場合には交換ポイント数５００に対する還元率が１．０倍と計算されて表示され、逆に還元率に１．０倍と入力された場合には交換ポイント数５００に対する還元額が５００円と計算されて表示される。
【００２３】
また、入力された還元率が、下位の発券条件の還元率よりも低い場合には、ＰＯＳ端末１は「還元率には１．０倍より大きい値を入力して下さい」「還元額には５００円より大きい値を入力して下さい」などと表示する。これにより、上位の発券条件となるにつれて還元率が増加するよう設定することが容易になる。尚、発券条件テーブル４１には、初期設定として、発券条件が上位になるにつれ還元率が段階的に増加するように還元額や還元率が設定されているとしても良い。
【００２４】
次に、発券条件の設定処理の手順について、図６を用いて説明する。図６は、発券条件の設定処理の手順を説明するフローチャートである。
【００２５】
まず、ＰＯＳ端末１は、ＰＯＳ端末１の各種設定を行うモードにおいて、設定メニューから発券条件設定を選択する等して、店員用ディスプレイ１５に、発券条件設定画面４（図５参照）を表示する（ステップＳ１）。次に、キーボード１３やタッチパネル２５のテンキー等からの入力を受付けて、各発券条件１〜３に対する各値引券３の発券に必要な交換ポイント数および各値引券３の還元額または還元率の入力を受付ける（ステップＳ２）。そして、図５に示す発券条件設定画面４において、キーボード１３やタッチパネル２５からの入力によって「保存」が選択操作されたか否かを判定する（ステップＳ３）。「保存」が選択操作された場合（ステップＳ３：Ｙｅｓ）、各発券条件に対して入力された交換ポイント数、還元額、還元率を発券条件テーブル４１に保存する（ステップＳ４）。そして、キーボード１３やタッチパネル２５によって発券条件設定画面４（図５参照）の「終了」が選択操作された場合（ステップＳ５：Ｙｅｓ）には発券条件設定画面４を閉じて設定処理を終了する（ステップＳ６）。ステップＳ３において「保存」が選択操作されていない場合（ステップＳ３：Ｎｏ）、またはステップＳ５において「終了」が選択操作されていない場合（ステップＳ５：Ｎｏ）には、ステップＳ２に戻って「保存」「終了」が選択操作されるまで各種入力を受付ける。
【００２６】
次に、制御部３１の詳細について説明する。図３に示すように、制御部３１は、ポイント受付部３５と、判定部３６と、表示部３７と、選択受付部３８と、発券部３９とを主に備えている。
【００２７】
ポイント受付部３５は、ポイント受付手段として機能するものであり、カードリーダ１１で会員カード２の磁気情報２０（図２参照）を読みとって、会員カード２に記憶された会員情報から、客がこれまでに累積した累積ポイントの入力を受付けるものである。
【００２８】
判定部３６は、判定手段として機能するものであり、発券条件テーブル４１を参照して、ポイント受付部３５が受付けた累積ポイント数が、少なくとも１つの発券条件の交換ポイント数に達したか否かを判定するものである。一例として、ポイント受付部３５が、図２に示す会員カード２の磁気情報２０から累積ポイントを５００と受付けた場合に、判定部３６は、図４に示す発券条件テーブル４１を参照して、発券条件１の交換ポイント数５００ポイントに達したと判定する。
【００２９】
また、判定部３６は、累積ポイント数が複数の発券条件に達していると判定した場合には、複数の発券条件のうち最上位の発券条件に対して、その発券条件の交換ポイント数に達したと判定する。即ち、ポイント受付部３５が受付けたポイントが１０００ポイントである場合、図４を参照すると、交換ポイント数が５００の発券条件１、および交換ポイント数が１０００ポイントの発券条件２に達しているが、判定部３６は、より上位である発券条件２に達したと判定する。
【００３０】
判定部３６は、ポイント受付部３５が受付けた累積ポイント数が、発券条件テーブル４１において設定されている最上位の発券条件に達したか否か判定する。即ち、判定部３６は、累積ポイント数が少なくとも１つの発券条件の交換ポイント数に達したと判定した場合に、さらに、図４に示す発券条件テーブル４１を参照して、該当する発券条件の自動発券フラグが１であるか否か判定し、１である場合には最上位の発券条件に達したと判定する。具体的には、ポイント受付部３５が累積ポイント数は１０００と受付けた場合には、図４を参照すると、該当する最上位の発券条件は交換ポイント数１０００の発券条件２であり、自動発券フラグの値は０であるから、最上位の発券条件ではないと判定する。一方、ポイント受付部３５が累積ポイント数は２０００と受付けた場合には、該当する最上位の発券条件は交換ポイント数２０００の発券条件３であり、自動発券フラグの値は１であるから、最上位の発券条件に達したと判定する。
【００３１】
表示部３７は、表示手段として機能するものであり、判定部３６が、ポイント受付部３５が受付けた累積ポイント数が少なくとも１つの発券条件に達したと判定した場合であって、かつ、到達した発券条件が最上位の発券条件ではないと判定した場合に、その発券条件に対応する値引券３を発券するか否かの選択を受付ける受付画面５（図７参照）を店員用ディスプレイ１５または客用ディスプレイ１６に表示する。
【００３２】
具体的には、上述のように判定部３６によって、ポイント受付部３５が受付けた累積ポイント数が発券条件１の交換ポイント数５００ポイントに達していると判定した場合であって、かつ、該当する発券条件１の自動発券フラグが０であると判定した場合に、表示部３７は、図７に示すように、「値引券を発券しますか？」等のメッセージを提示する受付画面５を店員用ディスプレイ１５または客用ディスプレイ１６に表示する。受付画面５には、図７に示すように、現在のポイント数や交換ポイント数、交換後のポイント残数などが提示され、さらに、現時点で値引券３を発券するか発券しないかを選択する選択キーが「発券する」「発券しない」と表示される。
【００３３】
選択受付部３８は、選択受付手段として機能するものであり、店員または客が店員用ディスプレイ１５または客用ディスプレイ１６に備えられたタッチパネル２５、２６をタッチ入力して受付画面５に表示された「発券する」または「発券しない」のいずれか一方の選択キーを選択した場合に、値引券３を発券する旨の選択、或いは発券せずにポイントを貯める旨の選択を受付ける。
【００３４】
発券部３９は、発券手段として機能するものであり、選択受付部３８が、値引券３を発券する旨の選択を受付けた場合には、発券条件テーブル４１に基づいて、判定部３６が上述のように判定した発券条件に対する還元額の値引券３（図８参照）を、プリンタ１７で印刷して、レシート発行口１８から発券する。値引券３には、図８に示すように、値引券の名称や、還元額、値引券３の発行日および使用期限、そしてこれらの情報を記憶したバーコードまたは２次元コードが印刷される。
【００３５】
また、発券部３９は、判定部３６によってポイント受付部３５が受付けた累積ポイント数が、発券条件テーブル４１において設定されている最上位の発券条件に達したと判定した場合に、発券条件テーブル４１を参照して、最上位の発券条件に対応する還元額の値引券３を発券する。具体的には、上述のように判定部３６が、最上位の発券条件３に達したと判定した場合に、図４に示す発券条件テーブル４１を参照して、発券条件３の還元額である４０００円分の値引券３をプリンタ１７で印刷して、レシート発行口１８から発券する。
【００３６】
次に、ＰＯＳ端末１が行う値引券３の発券処理の手順について説明する。図９は、値引券３の発券処理の手順を説明するフローチャートである。
【００３７】
まず、店員がカードリーダ１１により会員カード２をスキャンすることにより、ポイント受付部３５は、会員カード２の磁気情報２０から、客がこれまでに累積した累積ポイント数の入力を受付ける（ステップＳ１１）。次に、判定部３６は、発券条件テーブル４１を参照して、ステップＳ１１で受付けた累積ポイント数が、少なくとも１つの発券条件の交換ポイント数に達したか否かを判定する（ステップＳ１２）。判定部３６は、少なくとも１つの交換ポイント数に達したと判定した場合には（ステップＳ１２：Ｙｅｓ）、該当する発券条件の自動発券フラグが１であるか否かを、発券条件テーブル４１（図４参照）を参照して判定する（ステップＳ１３）。
【００３８】
自動発券フラグが１である場合（ステップＳ１３：Ｙｅｓ）、発券部３９は、発券条件テーブル４１の最上位の発券条件に対応する還元額を記載した値引券３を印刷し、レシートとともにレシート発行口１８から発券して（ステップＳ１６）、発券処理を終了する。
【００３９】
一方、自動発券フラグが１でない場合、即ち０である場合（ステップＳ１３：Ｎｏ）、表示部３７は、受付画面５（図７参照）を店員用ディスプレイ１５または客用ディスプレイ１６に表示する（ステップＳ１４）。その後、選択受付部１５は、受付画面５から、現時点で値引券３を発券するか否かの選択操作を受付ける（ステップＳ１５）。受付画面５において、「発券する」旨の選択操作を受付けた場合（ステップＳ１５：Ｙｅｓ）、発券部３９は、発券条件テーブル４１に基づいて、該当する発券条件の還元額を記載した値引券３を印刷し、レシートとともにレシート発行口１８から発券して（ステップＳ１７）、発券処理を終了する。
【００４０】
尚、ステップＳ１２で交換ポイント数に達していないと判定した場合（ステップＳ１２：Ｎｏ）、または、ステップＳ１５で受付画面５において「発券しない」旨を受付けた場合には（ステップＳ１５：Ｎｏ）、発券部３９は、現在の累積ポイント数を記載したレシート（不図示）のみ印刷してレシート発行口１８から発行する（ステップＳ１８）。
【００４１】
本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００４２】
本実施の形態のＰＯＳ端末１で実行されるプログラムは、上述した各部（ポイント受付部３５、判定部３６、表示部３７、選択受付部３８、発券部３９）を含むモジュール構成となっており、実際のハードウェアとしてはＣＰＵ（プロセッサ）が上記ＲＯＭからプログラムを読み出して実行することにより上記各部が主記憶装置上にロードされ、ポイント受付部３５、判定部３６、表示部３７、選択受付部３８、発券部３９が主記憶装置上に生成されるようになっている。
【００４３】
上述のように、本実施の形態のＰＯＳ端末１は、ポイント受付部３５が受付けた累積ポイント数が発券条件テーブル４１に設定された交換ポイント数に達した場合に、受付画面５から値引券３を発券するか発券せずにポイントを貯めるかの選択を受け付けるため、発券可能なポイント数に達した時点で、より還元率の高い条件でポイントを貯めるように客を誘導することが可能となり、客がポイントを累積するよう促進することができるという効果を奏する。
【００４４】
尚、図７に示した受付画面５のその他の例として、図１０に示すように「このままポイントをためると還元率が１．５倍に上がります」など、交換ポイント数が増加するほど還元率が段階的に増加することを表示して、ポイント累積を続ける場合の利点を示すメッセージを客用ディスプレイ１６に表示するとしても良い。また、図１０に示すように、各発券条件の交換ポイント数に対する還元額を表示したり、交換ポイント数が増加するほど還元率が段階的に増加する対応関係を表示したりして、ポイントの累積を促進することは可能である。また、還元率を数値で表すとともに、星印などのマークを表示して還元率が段階的に増加することを強調するとしても良い。このようにすることで、客に対してより有利なポイント交換を分かりやすく提案することができ、客がポイントを累積するよう促進することができるという効果を奏する。
【００４５】
尚、上述では、受付手段としてのポイント受付部３５が累積ポイント数を受付けるとしたが、これに限定されるものではない。その他の例として、会員カード２に、客がこれまで店舗において商品を購入した購入金額の累計である累計購入金額を記憶しておき、受付手段が客の購入実績として累計購入金額を会員カード２から受付けるとしても良い。この場合、発券条件テーブル４１においては、発券条件として累計購入金額が複数設定され、判定部３６は、会員カード２から受付けた累計購入金額と、発券条件テーブル４１に設定された累計購入金額を比較することにより、発券条件に達したか否かを判定する。これにより、還元率が累計購入金額に対する還元額として表されるため、客にとって還元率が分かり易いという効果を奏する。
【００４６】
尚、上述では、図４に示すように発券条件１〜３により発券条件を３つ設定したが、これに限定されず、発券条件は複数であれば良く、３つ以下或いは３つ以上設定されても良い。
【符号の説明】
【００４７】
１  ＰＯＳ端末
２  会員カード
３  値引券
４  発券条件設定画面
５  受付画面
３１  制御部
３５  ポイント受付部
３６  判定部
３７  表示部
３８  選択受付部
３９  発券部
４１  発券条件テーブル
【先行技術文献】
【特許文献】
【００４８】
【特許文献１】特開２００２−２１６２４９公報
【図１】
2011048578.tif 000003
【図２】
2011048578.tif 000004
【図３】
2011048578.tif 000005
【図４】
2011048578.tif 000006
【図５】
2011048578.tif 000007
【図６】
2011048578.tif 000008
【図７】
2011048578.tif 000009
【図８】
2011048578.tif 000010
【図９】
2011048578.tif 000011
【図１０】
2011048578.tif 000012